(57)【要約】【課題】発光基板と制御基板との接続作業を容易にすることでコストを抑えることができ、しかも、発光基板と制御基板との間の領域を含む全体を所謂防湿コーティング処理することで、耐久性を向上させることができる発光ユニット及び発光ユニットを備える情報標示体を提供する。【解決手段】一方の面３１ａに発光体３１１が実装される発光基板３１と、一方の面３２ａに前記発光体３１１の点灯を制御するための電子部品が実装される制御基板３２とを備え、前記発光基板３１の他方の面３１ｂ又は前記制御基板３２の他方の面３２ｂの何れか一方には、雄接続体９が実装されており、何れか他方には、前記雄接続体９に嵌合可能な雌接続体８が実装されており、発光基板３１と制御基板３２とは、前記雄接続体９と雌接続体８とが嵌合することによって、電気的且つ機械的に接続されるように構成されていることを特徴とする。【選択図】図２
2009086569.tif 000002
【特許請求の範囲】
【請求項１】
一方の面に発光体が実装される発光基板と、一方の面に前記発光体の点灯を制御するための電子部品が実装される制御基板とを備え、
前記発光基板の他方の面又は前記制御基板の他方の面の何れか一方には、雄接続体が実装されており、何れか他方には、前記雄接続体に嵌合可能な雌接続体が実装されており、発光基板と制御基板とは、前記雄接続体と雌接続体とが嵌合することによって、電気的且つ機械的に接続されるように構成されていることを特徴とする発光ユニット。
【請求項２】
内部に収納部を有する情報標示本体と、前記収納部に収納され発光体を有する発光ユニットとを備え、前記発光ユニットは、一方の面に発光体が実装される発光基板と、一方の面に前記発光体の点灯を制御するための電子部品が実装される制御基板とを備え、
前記発光基板の他方の面又は前記制御基板の他方の面の何れか一方には、雄接続体が実装されており、何れか他方には、前記雄接続体に嵌合可能な雌接続体が実装されており、発光基板と制御基板とは、前記雄接続体と雌接続体とが嵌合することによって、電気的且つ機械的に接続されるように構成されていることを特徴とする情報標示体。
【発明の詳細な説明】
【技術分野】
【０００１】
本発明は、例えばＬＥＤ等の発光体を備える発光ユニット、及び該発光ユニットを備える情報標示体に関する。
【背景技術】
【０００２】
従来、例えばＬＥＤ等の発光体を備える発光ユニットとしては、一方の面に発光体が実装される発光基板と、一方の面に前記発光体の点灯を制御するための電子部品が実装される制御基板とを備え、発光基板と制御基板とは、金属製の導電部材（例えば、ピンヘッダー等）を両基板の他方の面間に跨るようにはんだ実装することによって、電気的且つ機械的に接続されたものが知られている。
【０００３】
かかる発光ユニットは、例えば道路情報等を標示するための情報標示体として利用される場合がある。この場合、外気に含まれる湿気や温度差による結露等によって発光ユニットが錆びたり腐食したり或いは短絡したりするのを防止するため、当該湿気や結露等にかかる水分の付着を防止する所謂防湿コーティング処理が発光ユニットに施される。
【発明の開示】
【発明が解決しようとする課題】
【０００４】
しかしながら、上記従来の発光ユニットにあっては、発光基板と制御基板とを接続するに際して、前記導電部材を両基板の他方の面間にはんだ実装するため、作業が煩雑で製造に時間がかかりコストが高くなる。
【０００５】
また、発光基板と制御基板とを前記導電部材を介して電気的且つ機械的に接続した後に、所謂防湿コーティング処理を施すため、発光基板と制御基板との間の領域を十分にコーティングすることができず、従って耐久性が悪くなる場合がある。
【０００６】
そこで、本発明は、上記実情に鑑みてなされ、発光基板と制御基板との接続作業を容易にすることでコストを抑えることができ、しかも、発光基板と制御基板との間の領域を含む全体を所謂防湿コーティング処理することで、耐久性を向上させることができる発光ユニット及び発光ユニットを備える情報標示体を提供することを課題とする。
【課題を解決するための手段】
【０００７】
本発明は、上記課題を解決すべくなされたものであり、本発明に係る発光ユニットは、一方の面に発光体が実装される発光基板と、一方の面に前記発光体の点灯を制御するための電子部品が実装される制御基板とを備え、前記発光基板の他方の面又は前記制御基板の他方の面の何れか一方には、雄接続体が実装されており、何れか他方には、前記雄接続体に嵌合可能な雌接続体が実装されており、発光基板と制御基板とは、前記雄接続体と雌接続体とが嵌合することによって、電気的且つ機械的に接続されるように構成されていることを特徴とする。
【０００８】
該構成の発光ユニットにあっては、発光基板の他方の面又は制御基板の他方の面の何れか一方に雄接続体が、何れか他方に雌接続体が各々実装されており、前記雄接続体と雌接続体とは嵌合可能となっているので、雄接続体と雌接続体とを嵌合すれば、はんだ実装作業を要さずに発光基板と制御基板とを電気的且つ機械的に接続することができる。
【０００９】
また、発光基板と制御基板とをそれぞれ別個に所謂防湿コーティング処理してそれぞれの基板の一方の面及び他方の面をコーティングした後に、雄接続体と雌接続体とを嵌合して発光基板と制御基板とを電気的且つ機械的に接続することができるので、発光基板と制御基板との間の領域を含む全体をコーティングすることができる。
【００１０】
また、本発明に係る情報標示体は、内部に収納部を有する情報標示本体と、前記収納部に収納され発光体を有する発光ユニットとを備え、前記発光ユニットは、一方の面に発光体が実装される発光基板と、一方の面に前記発光体の点灯を制御するための電子部品が実装される制御基板とを備え、前記発光基板の他方の面には、雄接続体又は雌接続体が実装されており、前記制御基板の他方の面には、前記雄接続体又は雌接続体に嵌合可能な雌接続体又は雄接続体が実装されており、発光基板と制御基板とは、前記雄接続体と雌接続体とが嵌合することによって、電気的且つ機械的に接続されるように構成されていることを特徴とする。
【発明の効果】
【００１１】
このように、本発明に係る発光ユニット及び情報標示体にあっては、発光基板の他方の面又は制御基板の他方の面の何れか一方に雄接続体が、何れか他方に雌接続体が各々実装されており、前記雄接続体と雌接続体とは嵌合可能となっているので、発光基板と制御基板とをそれぞれ別個に所謂防湿コーティング処理してそれぞれの基板の一方及び他方の面をコーティングした後に、雄接続体と雌接続体とを嵌合して発光基板と制御基板とを電気的且つ機械的に接続することができる結果、発光基板と制御基板との接続作業を容易にしてコストを抑えることができ、しかも、発光基板と制御基板との間の領域を含む全体を所謂防湿コーティング処理することができて耐久性を向上させることができるという効果を奏する。
【発明を実施するための最良の形態】
【００１２】
以下、本発明に係る発光ユニット及び該発光ユニットを備える情報標示体の一実施形態について、図面を参照しつつ詳細に説明する。
図１（Ａ）及び（Ｂ）に、本実施形態における情報標示体１が示されている。該情報標示体１は、例えば、通行人等に対し道路交通情報や注意喚起等の様々な標示をすべく、道路に立設された支柱（図示しない）に取り付けられるものである。
【００１３】
この情報標示体１は、内部に収納部７を有する情報標示本体２と、該情報標示本体２の収納部７に収納可能に構成される発光ユニット３とを備える。情報標示本体２は、図１（Ｂ）に示すように、前面が開口した本体部４と、該本体部４の開口を開閉する蓋部５とを備える。
【００１４】
本体部４は、例えばアルミニウム合金で構成されており、矩形状に構成される枠体４１と、該枠体４１の後面を閉塞する閉塞板４２とを備えてなる。従って、本体部４は、その前面側が開口されており、後面側が閉塞されている。また、本体部４には、前記収納部７と外部とを連通する換気孔４３が設けられている。具体的には、換気孔４３は、枠体４１に設けられており、外部と収納部７とを枠体４１の内部を介して連通している。
【００１５】
蓋部５は、例えばアルミニウム合金にて矩形状に構成される枠体５１と、該枠体５１の前面側を閉塞する例えばポリカーボネイト樹脂からなる窓板５２とを備えてなる。従って、蓋部５は、その前面側が閉塞されており、後面側が開口している。かかる蓋部５は、その枠体５１が本体部４の枠体４１にヒンジ６を介して回動可能に取り付けられており、該ヒンジ６を中心に回動することによって本体部４の開口を閉塞する。尚、本体部４と蓋部５とで囲まれる領域（即ち、情報標示本体２の内部）が収納部７となっている。また、蓋部５の縦及び横の長さは、本体部４の縦及び横の長さよりも若干大きくなっている。
【００１６】
発光ユニット３は、図２に示すように、一方の面３１ａに発光体３１１が実装される発光基板３１と、一方の面３２ａに前記発光体３１１の点灯を制御するための電子部品が実装される制御基板３２とを備え、発光基板３１と制御基板３２とが各々の他方の面３１ｂ，３２ｂ同士を対向させて電気的且つ機械的に接続されるように構成されている。この発光ユニット３は、図１（Ｂ）に示すように、情報標示本体２の収納部７に収納可能に構成されており、本実施形態では、蓋部５の枠体５１の内側に取り付けられるように構成されている。従って、発光ユニット３は蓋部５の回動に伴って回動する。より詳細には、発光ユニット３は、枠体５１で囲まれる領域に対応した大きさとなっており、前記領域全体に亘るように枠体５１の内側に取り付けられる。尚、本実施形態においては、図２に示すように、発光基板３１は４枚用意されており、それぞれの一方の面３１ａが面一となるように隣接させた状態で、各々が１枚の制御基板３２に接続される。
【００１７】
図３に示すように、発光基板３１の一方の面としての実装面３１ａには、複数の発光体３１１が実装されている。具体的には、複数の発光体３１１としての複数のＬＥＤ３１１が、それぞれの照射方向が前記実装面３１ａに対して垂直且つ外向きとなるように、実装面３１ａにはんだ実装されている。尚、ＬＥＤ３１１の個数及び配置は、必要に応じて適宜決定することができる。
【００１８】
また、発光基板３１の他方の面としての接続面３１ｂには、雌接続体８が実装されている。本実施形態では、接続面３１ｂには、コネクタを構成する凹部材としてのソケット８が所定の配置にて複数はんだ実装されて立設されている。
【００１９】
尚、ＬＥＤ３１１及びソケット８のはんだ実装は、手はんだにて行うこともできるが、はんだ付け用の機械によって自動で行う方が高効率で好ましい。また、ソケット８の個数及び配置については、電気通信配線や機械的強度等に応じて適宜決定することができる。
【００２０】
また、ＬＥＤ３１１及びソケット８が実装された発光基板３１は、その実装面３１ａ側及び接続面３１ｂ側を含む全体が所謂防湿コーティング処理されている。ここで、防湿コーティング処理とは、被処理体が湿気や水滴等の水分によって錆びたり腐食したりしないように、被処理体に湿気や水滴等の水分が付着し難くなるようにする処理をいう。具体的には、防湿コーティング処理は、溶剤に防湿剤を混合した防湿液を被処理体に塗布する処理をいう。
【００２１】
図４に示すように、制御基板３２の一方の面としての実装面３２ａには、前記発光体３１１の点灯を制御するための電子部品３２１〜３２９が実装されている。具体的には、前記実装面３２ａには、例えば電源用コネクタ３２１、表示信号入力用コネクタ３２２、表示信号出力用コネクタ３２３、表示データ入力用コネクタ３２４、ＪＴＡＧ用コネクタ３２５、照度センサ３２６、プログラム切替スイッチ３２７、標示パターン切替スイッチ３２８、夜輝度切替スイッチ３２９等がはんだ実装されている。
【００２２】
また、制御基板３２の他方の面としての接続面３２ｂには、前記雌接続体８に接続可能な雄接続体９が実装されている。具体的には、接続面３２ｂには、前記ソケット８との間で電気通信的且つ機械的接続をなすためのコネクタの凸部材としてのプラグ９が前記ソケット８の配置に対応した配置にて複数はんだ実装されて立設されている。本実施形態においては、上述のように、４枚の発光基板３１が１枚の制御基板３２に接続されるので、制御基板３２には、全ての発光基板３１各々のソケット８に対応する位置にプラグ９がそれぞれ配置されている。
【００２３】
尚、各種電子部品３２１〜３２９及びプラグ９のはんだ実装は、手はんだにて行うこともできるが、公知のはんだ付け用の機械によって自動で行う方が高効率で好ましい。また、プラグ９の個数及び配置については、前記ソケット８の個数及び配置に対応して適宜決定する。
【００２４】
また、電子部品３２１〜３２９及びプラグ９が実装された制御基板３２は、その実装面３２ａ側及び接続面３２ｂ側を含む全体がそれぞれ防湿コーティング処理されている。
【００２５】
かかる発光基板３１と制御基板３２とは、互いの接続面３１ｂ，３２ｂ同士を対向させた状態で電気通信的且つ機械的に接続される。具体的には、発光基板３１と制御基板３２とは、図２に示すように、発光基板３１の各ソケット８に制御基板３２の各プラグ９を嵌め込むことによって、両基板３１，３２間に所定幅の隙間を形成するように機械的に接続され、且つ、制御基板３２から発光基板３１へＬＥＤ３１１の点灯信号がわたるように電気通信的に接続される。尚、本実施形態においては、発光基板３１と制御基板３２との間の隙間にスペーサ１０が設けられており、該スペーサ１０に各基板３１，３２をネジ止めしている。これにより、両基板３１，３２の間の隙間が確保されると共にソケット８やプラグ９に不用意に力がかからず、更に、両基板３１，３２間の接続を強固なものとすることができる。
【００２６】
次に、発光体３１１ユニットの製造方法について説明する。
まず、発光基板３１の実装面３１ａにＬＥＤ３１１を、接続面３１ｂにソケット８をそれぞれ実装する。また、制御基板３２の実装面３２ａに各種電子部品３２１〜３２９を、接続面３２ｂにプラグ９をそれぞれ実装する。そして、ＬＥＤ３１１及びソケット８が実装された発光基板３１と、各種電子部品３２１〜３２９及びプラグ９が実装された制御基板３２とを、それぞれ別個に防湿コーティング処理する。そして、発光基板３１の防湿コーティング処理と制御基板３２の防湿コーティング処理とをした後に、ソケット８とプラグ９とを嵌合させて発光基板３１と制御基板３２とを電気通信的且つ機械的に接続する。
【００２７】
以上のような構成の発光ユニット３及び該発光ユニット３を備える情報標示体１にあっては、発光基板３１の接続面３１ｂに雌接続体８としてのソケット８が実装され、制御基板３２の接続面３２ｂに雄接続体９としてのプラグ９が実装されており、ソケット８とプラグ９とを互いに嵌合させて両基板３１，３２を電気通信的且つ機械的に接続可能に構成されているので、かかるソケット８とプラグ９とを嵌合すれば、はんだ実装作業を要さずに発光基板３１と制御基板３２とを電気通信的且つ機械的に接続することができる。故に、発光基板３１と制御基板３２との接続作業が容易となってコストを抑えることができる。
【００２８】
また、ＬＥＤ３１１及びソケット８が実装された発光基板３１と、電子部品３２１〜３２９及びプラグ９が実装された制御基板３２とを、互いに接続する前に、それぞれ個別に防湿コーティング処理するので、発光基板３１の実装面３１ａ側だけでなく接続面３１ｂ側も十分にコーティングすることができ、制御基板３２の実装面３２ａ側だけでなく接続面３２ｂ側も十分にコーティングすることができる。従って、発光基板３１と制御基板３２とを接続した状態の発光ユニット３の外面側だけでなく両基板３１，３２の間の隙間についても十分にコーティングすることができ、耐久性を向上させることができる。
【００２９】
更に、発光ユニット３は、前記蓋部５の枠体５１の内側に取り付けられ、本体部４には、換気孔４３が設けられているので、制御基板３２の実装面３２ａ側、即ち、発光基板３１及び制御基板３２を介してＬＥＤ３１１とは反対側にて収納部７内の換気を行なうことができる。よって、外部から収納部７へ入ってきた外気に含まれる塵等がＬＥＤ３１１に付着し難い。
【００３０】
また更に、発光ユニット３は、前記枠体５１で囲まれる領域に対応した大きさであり、前記領域全体に亘るように枠体５１の内側に取り付けられているので、ＬＥＤ３１１への塵等の付着を効果的に抑制することができる。
【００３１】
尚、本実施形態においては、発光基板３１の接続面３１ｂに雌接続体８としてのソケット８が実装され、制御基板３２の接続面３２ｂに雄接続体９としてのプラグ９が実装されている場合について説明したが、これに限らず、発光基板３１の接続面３１ｂにプラグ９が実装され、制御基板３２の接続面３２ｂにソケット８が実装されている場合であってもよい。
【００３２】
また、本実施形態においては、４枚の発光基板３１を１枚の制御基板３２に接続する場合について説明したが、これに限らず、１枚の発光基板３１を１枚の制御基板３２に接続する場合であってもよい。また、制御基板３２を複数枚用いることもできる。
【００３３】
更に、本実施形態においては、情報標示本体２が本体部４に蓋部５を回動可能に取り付けることによって構成される場合について説明したが、これに限らず、蓋部５を、本体部４の前面開口を閉塞するように本体部４に取付固定する場合であってもよい。
【図面の簡単な説明】
【００３４】
【図１】本発明に係る情報標示体の一実施形態を示す図であり、（Ａ）は正面図であり、（Ｂ）は（Ａ）のＡ−Ａ線断面拡大図。
【図２】本発明に係る発光ユニットの一実施形態を示す正面図、側面図、及び背面図。
【図３】同発光ユニットの発光基板を示す正面図、側面図、及び背面図。
【図４】同発光ユニットの制御基板を示す正面図、側面図、及び背面図。
【符号の説明】
【００３５】
１…情報標示体、２…情報標示本体、３…発光ユニット、４…本体部、５…蓋部、６…ヒンジ、７…収納部、８…雌接続体（ソケット）、９…雄接続体（プラグ）、１０…スペーサ、３１…発光基板、３１ａ…発光基板の一方の面（実装面）、３１ｂ…発光基板の他方の面（接続面）、３２…制御基板、３２ａ…制御基板の一方の面（実装面）、３２ｂ…制御基板の他方の面（接続面）、４１…本体部の枠体、４２…閉塞板、４３…換気孔、５１…蓋部の枠体、５２…窓板、３１１…発光体、３２１…電源用コネクタ、３２２…表示信号入力用コネクタ、３２３…表示信号出力用コネクタ、３２４…表示データ入力用コネクタ、３２５…ＪＴＡＧ用コネクタ、３２６…照度センサ、３２７…プログラム切替スイッチ、３２８…標示パターン切替スイッチ、３２９…夜輝度切替スイッチ
【図１】
2009086569.tif 000003
【図２】
2009086569.tif 000004
【図３】
2009086569.tif 000005
【図４】
2009086569.tif 000006